(57)【要約】【課題】組立作業における検出スイッチの差し込み不足を防止すると共に、検出スイッチ及びコネクタの外れ、さらにリード線の断線を防止することができるパチンコ機を提供する。【解決手段】検出スイッチ３０を、遊技盤３９の裏側から、遊技盤３９に形成された取付穴３５に通し、遊技盤３９の前面側に取り付けられたスイッチホルダ３６に挿入する。遊技盤３９の裏側にはみ出している検出スイッチ３０部分を、スイッチカバー１によって覆うと共に、スイッチカバー１を遊技盤３９にネジ止めする。スイッチカバー１の背面に、検出スイッチ３０に設けられているコネクタ３４をスイッチカバー１の外部に排出させるための切欠き部４を形成する。また、切欠き部４と連続するようにコネクタ３４を覆う保護部材５を設ける。更に、コネクタ３４から延びる配線８を掛けるフック６を設ける。【選択図】　　図２
2004057712.tif 000002
【特許請求の範囲】
【請求項１】
遊技球の通過を検出する検出スイッチが遊技盤上に設けられ、前記検出スイッチが、前記遊技盤を貫いて形成された取付穴および該取付穴に連続するように前記遊技盤の前面側に配設されたホルダに、前記遊技盤の裏面側から挿入されて取り付けられるパチンコ機において、
前記挿入された検出スイッチの、前記遊技盤の裏側にはみ出している部分を覆うスイッチカバーを設け、
前記検出スイッチを覆った前記スイッチカバーを、前記遊技盤に固定する固定手段を設けたことを特徴とするパチンコ機
【請求項２】
前記スイッチカバーに、前記検出スイッチに設けられているコネクタ部の排出口である切り欠き部を設けたことを特徴とする請求項１に記載のパチンコ機。
【請求項３】
前記切欠き部に連続する前記スイッチカバーの外側面に、前記切り欠き部から飛び出した前記コネクタ部を覆う保護部材を設けたことを特徴とする請求項２に記載のパチンコ機。
【請求項４】
前記スイッチカバーに、前記コネクタから延びた配線を引っ掛けるフックを設けたことを特徴とする請求項２または３に記載のパチンコ機。
【発明の詳細な説明】
【０００１】
【発明の属する技術分野】
本発明は、入賞口への遊技球の通過を検出するスイッチを備えたパチンコ機、特に、スイッチの信頼性を高めるためのスイッチ取付構造に関するものである。
【０００２】
【従来の技術】
パチンコ機の遊技盤上には、遊技者のハンドル操作等によって発射装置から打ち出された遊技球が流下する遊技領域が設けられている。そして、例えば、いわゆる第１種のパチンコ機では、遊技領域の略中央部に図柄の変動表示が行なわれるセンター役物装置が配設されている。この役物装置は、変動表示される図柄が予め定められた特定の図柄で停止表示すると、大当たり状態を発生させ短期間に多くの賞球を得ることができる、遊技者にとって有利な遊技状態を発生させる。また、遊技領域には、役物装置の図柄を変動表示動作させるための始動入賞口が設けられ、始動入賞口への遊技球の入賞に基づいて図柄の変動表示動作が開始される。さらに、遊技領域には、この他、一般入賞口も設けられ、この入賞口への遊技球の入賞に基づいて予め定められた数の賞球が排出される。
【０００３】
これらの各入賞口は、上述したように大当たり状態を発生させ得る図柄変動表示動作を開始させる条件となり、あるいは賞球が排出される条件となるため、遊技者の遊技に対する興趣を高める有効な手段の一つとなっている。従って、遊技者にとっては、遊技球の入賞に基づいてこれらの入賞口が確実に動作することが当然の前提条件である。ところで、これらの入賞口には、遊技球が入賞（通過）したことを検出する検出スイッチがそれぞれ設けられており、検出スイッチの動作により図柄の変動表示および賞球の排出が行なわれる。
【０００４】
図５は、遊技領域に設けられる入賞口（始動入賞口、一般入賞口を含む）を構成する検出スイッチおよびこの検出スイッチが挿入されるスイッチホルダを示す斜視図である。
検出スイッチ３０は、前方部に形成された遊技球通過孔３１と、この遊技球通過孔３１の周辺部に配設され、遊技球の通過により磁界を発生させるセンサコイル３２と、センサコイル３２からの磁界の変化を検出しこれをパルス信号に変換するスイッチ回路部３３と、スイッチ回路部３３から出力された信号をパチンコ機の中央制御部（図示省略）に送信するためのコネクタ部３４を備えている。
【０００５】
検出スイッチ３０は、遊技盤の裏側から遊技盤を貫いて形成された取付穴３５に挿入される。図５では説明の便宜上、取付穴３５のみを図示し遊技盤は省略しているが、実際には取付穴３５の厚さと同一の厚さの遊技盤が、取付穴３５の周辺に存在している。
取付穴３５の前方には、取付穴３５に連続するようにスイッチホルダ３６が配設されている。即ち、スイッチホルダ３６は、遊技盤の前面側から取付穴３５に連続する位置に配設され、ネジ止めによって（ネジ穴３７を介して）遊技盤に固定されている。
【０００６】
検出スイッチ３０は、取付穴３５からさらにスイッチホルダ３６に挿入される。スイッチホルダ３６には、遊技球入賞口３８が形成されており、挿入された検出スイッチ３０の遊技球通過孔３１が、この遊技球入賞口３８と重なるように配置される。遊技盤の裏側から挿入された検出スイッチ３０は、スイッチホルダ３６の奥まで挿入されて初めて、遊技球通過穴３１が遊技球入賞口３８と重なり、遊技球が遊技球通過穴３１を通過可能な状態となる。
【０００７】
図５には省略されているが、図６に示されるように、スイッチホルダ３６に挿入された検出スイッチ３０は、爪４０によって固定される。爪４０は、遊技盤３９の裏側に取り付けられた爪台４１に１個のみ設けられており、この爪４０が検出スイッチ３０の背面部に掛かり、取付穴３５およびスイッチホルダ３６に挿入された検出スイッチ３０を固定している。
【０００８】
【発明が解決しようとする課題】
しかしながら上述したような検出スイッチ等の構造では、次のような問題点があった。
図７に示すように、検出スイッチ３０を取付穴３５およびスイッチホルダ３６に挿入する際の挿入不足のため、検出スイッチ３０が爪４０によって固定されず、スイッチホルダ３６の遊技球入賞口３８に、検出スイッチ３０の遊技球通過孔３１が重ならない。この為、遊技球入賞口３８を遊技球が通過することができず、さらに、この不具合が最終の動作確認段階まで確認できないこともある。
【０００９】
また、挿入された検出スイッチ３０が、一端、爪４０によって固定された場合であっても、図８に示すように、コネクタ３４に接続されている配線４２が爪４０と逆方向に引っ張られ、検出スイッチ３０が爪４０から外れてしまう虞がある。
さらに、図９に示すように、配線４２が引っ張られ、コネクタ３４から配線４２側のコネクタ３４’が外れてしまう虞がある他、断線してしまう虞もあった。
【００１０】
そこで、本発明は、上記課題に鑑みてなされたものであり、組立作業における検出スイッチの差し込み不良を防止するとともに、外力が加わることによる検出スイッチ及びコネクタの外れ、さらにリード線の断線を防止することができ、品質の安定したパチンコ機の提供を目的とするものである。
【００１１】
【課題を解決するための手段】
上記目的を達成するために、請求項１に係るパチンコ機の発明は、遊技球の通過を検出する検出スイッチが遊技盤上に設けられ、前記検出スイッチが、前記遊技盤を貫いて形成された取付穴および該取付穴に連続するように前記遊技盤の前面側に配設されたホルダに、前記遊技盤の裏面側から挿入されて取り付けられるパチンコ機において、前記挿入された検出スイッチの、前記遊技盤の裏側にはみ出している部分を覆うスイッチカバーを設け、前記検出スイッチを覆った前記スイッチカバーを、前記遊技盤に固定する固定手段を設けたことを特徴とするものである。
【００１２】
スイッチカバーによって遊技盤の裏側にはみ出している部分の検出スイッチを覆い、さらにそのスイッチカバーを遊技盤に固定することにより、検出スイッチはスイッチカバー内に収納されるとともに、スイッチ取付穴およびスイッチホルダに挿入された状態でスイッチカバーによって固定される。従って、スイッチ取付穴およびスイッチホルダからの検出スイッチの外れ（抜け）は防止される。
【００１３】
また、請求項２に係る発明は、請求項１の発明において、前記スイッチカバーに、前記検出スイッチに設けられているコネクタ部の排出口である切り欠き部を設けたことを特徴とするものである。検出スイッチに設けられているコネクタ部のみを切り欠き部からスイッチカバーの外部に排出させることにより、コネクタ部を除いた検出スイッチのみをスイッチカバーによって覆い、且つ、固定することができ、スイッチ取付穴およびスイッチホルダからの検出スイッチの外れ（抜け）を確実に防止する。
【００１４】
また、請求項３に係る発明は、請求項２の発明において、前記切欠き部に連続する前記スイッチカバーの外側面に、前記切り欠き部から飛び出した前記コネクタ部を覆う保護部材を設けたことを特徴とするものである。保護部材を設けることによって、切り欠き部からスイッチカバーの外部に飛び出しているコネクタ部を保護し、外力の影響による破損を防止する。
【００１５】
また、請求項４に係る発明は、請求項２または３の発明において、前記スイッチカバーに、前記コネクタから延びた配線を引っ掛けるフックを設けたこと特徴とするものである。コネクタから延びている配線をフックに掛けることにより、外力によって配線が引っ張られた場合でも、フックでコネクタ部に加わる力を緩和することができ、コネクタの外れ（抜け）及びコネクタに差し込まれている配線部分の断線を防止する。
【００１６】
【発明の実施の形態】
以下、本発明の実施の形態を添付図面に基づいて説明する。
尚、本発明に係るパチンコ機の検出スイッチ及びスイッチホルダの構成に関しては、図５に示した従来の構成と同一であるため、同様の部材については同じ符号を付し、その詳細な説明は適宜省略する。
図１は、本発明に係るパチンコ機のスイッチカバーの一形態を示す斜視図である。このスイッチカバー１は、図５に示される取付穴３５およびスイッチホルダ３６に挿入された検出スイッチ３０の、遊技盤の裏側にはみ出している部分を覆うものである。尚、取付穴３５は、遊技盤を貫いて形成されており、スイッチホルダ３６は、取付穴３５に連続するように遊技盤の前面側に配設され、検出スイッチ３０は遊技盤の裏面側から挿入される。
【００１７】
スイッチカバー１は、覆われる検出スイッチ３０と略同一形状に形成されている。この形態では、図５に示される検出スイッチ３０の形状と同じ略直方体状に形成されている。スイッチカバー１はネジ止めによって遊技盤に取り付けられ、スイッチカバー１の前部には、スイッチカバー１を遊技盤に取り付けるための平板状の取り付け部２が設けられており、取り付け部２の左右両端部付近には、ネジ穴３が形成されている。
【００１８】
スイッチカバー１の後部には、切欠き部４が形成されている。この切欠き部４は、検出スイッチ３０の後部（背面）に設けられたコネクタ３４の排出口としての機能を果たす。コネクタ３４をスイッチカバー１から排出させるための切欠き部であるので、その形状は図１に示した形状のものに限定されず、使用されるコネクタの形状に対応するものであってもよい。また、スイッチカバー１をネジ止めによって遊技盤に固定した状態でも、コネクタの着脱が容易にできるように、例えば、コネクタの外形よりも一回り大きい形状のものであってもよい。
【００１９】
また、スイッチカバー１の外側背面には、切欠き部４からスイッチカバー１の外部に飛び出したコネクタ３４部分を覆う、略Ｕ字型状の保護部材５が設けられている。切欠き部４から飛び出したコネクタ３４を保護するための部材であるので、その形状は図１に示した形状のものに限定されず、使用されるコネクタの形状に対応するものであればよい。
【００２０】
さらに、スイッチカバー１の外側背面には、コネクタ３４から外部に延びるリード線（以下、配線ともいう）をまとめた状態で掛けることができるフック６が設けられている。配線をフック６に掛けることにより、外力によって配線が引っ張られたときのコネクタ部（コネクタに差込まれている部分のリード線も含む）に加わる力が緩和される。尚、フック６を設ける位置は、図１に示した位置に限定されず、コネクタ３４から延びる配線を容易に引っ掛けることができ、コネクタ部に加わる力を緩和することができる位置であればよい。
【００２１】
図２は、スイッチホルダ３６に挿入された検出スイッチ３０をスイッチカバー１によって覆った状態を示す正面図である。また、図３は、図２の側面図であり、図４は、斜視図を示している。尚、図４では、構成を容易に理解させるために、スイッチホルダ３６とスイッチカバー１との間に配設される遊技盤３９の図示を省略している。
検出スイッチ３０は、遊技盤３９の裏側（図２、３において下側）から、遊技盤３９に形成された取付穴３５に通され、遊技盤３９の前面側に取り付けられたスイッチホルダ３６に挿入されている。
【００２２】
遊技盤３９の裏側に配設される（裏側にはみ出している）検出スイッチ３０の後部（図５に示す検出スイッチ３０においてスイッチ回路部３３が配設されている部分）は、スイッチカバー１によって覆われている。スイッチカバー１は、例えば、プラスチックによって薄型に形成され、また遊技盤３９の裏側にはみ出している検出スイッチ３０の部分だけを覆うことができる大きさ（遊技盤３９の裏側にはみ出している部分と略同じ大きさ）に形成されている。
【００２３】
検出スイッチ３０の背面に設けられているコネクタ３４は、検出スイッチ３０の背面から突出した状態で存在している。スイッチカバー１の切欠き部４は、この切欠き部４からスイッチカバー１の外部にコネクタ３４を排出させることができるように、コネクタ３４に対応した位置に形成されている。コネクタ３４を切欠き部４から排出させることにより、スイッチカバー１の内面を、検出スイッチ３０の背面に密着して配置させることができる。
【００２４】
スイッチカバー１は、取付手段であるネジ７によって遊技盤３９の裏側に取り付けられている。これによりスイッチカバー１内の検出スイッチ３０は、十分にスイッチホルダ３６の奥まで（検出スイッチ３０の遊技球通過孔３１が、スイッチホルダ３６の遊技球入賞口３８と重なるまで）挿入され確実に固定される。
スイッチカバー１の切欠き部４から外部に排出されたコネクタ３４は、切欠き部４と連続するうようにスイッチカバー１の背面に設けられた保護部材５によって覆われている。
【００２５】
尚、切欠き部４は、コネクタ３４から延びる配線８のみを排出させる排出口としての機能を持たせるようにしてもよい。即ち、切欠き部４の大きさをコネクタ３４の大きさよりも小さく形成し、コネクタ３４をスイッチカバー１の内部に配設させ、配線８のみが切欠き部４から外部に引き出すようにする。尚、この場合には、スイッチカバー１の大きさは、遊技盤３９の裏側に配設される検出スイッチ３０部分とコネクタ３４とを収納できる大きさに形成することが必要である。そして、このときのスイッチカバー１の背面の形状は、例えば、検出スイッチ３０の背面から突出した状態で存在しているコネクタ３４のみに接触する形状、即ち、切欠き部４を除いた部分はフラットで、その背面によりコネクタ３４のみを押さえて固定するような形状にする。また、この他、検出スイッチ３０の背面とその背面に突出したコネクタ３４の形状に合わせてスイッチカバー１の背面にも凹凸を設け、検出スイッチ３０およびコネクタ３４の両方を押さえて固定するような形状にしてもよい。
【００２６】
このように切欠き部４をコネクタ３４の大きさよりも小さく形成し、検出スイッチ３０だけでなくコネクタ３４もスイッチカバー１内に配設することで、ネジ止めにより遊技盤３９に取り付けられるスイッチカバー１によって、検出スイッチ３０及びコネクタ３４を確実に固定することができ、コネクタ３４の差込み不足及び抜け外れをも防止することができる。
【００２７】
コネクタ３４から延びる配線８は、スイッチカバー１の背面に設けられたフック６に掛けられている。これにより、フック６からさらに先に延びている配線８に対して外力が加わったとしても、その外力によるコネクタ３４への影響（コネクタ３４及びコネクタ３４に差し込まれる部分の配線に加わる外力）は、フック６によって緩和され、コネクタ３４の抜け及び配線８の断線（特に、コネクタ３４に配線を差し込むためにピンにかしめられている部分の断線）を大幅に抑止することができる。
【００２８】
【発明の効果】
本願の請求項１に係る発明によれば、スイッチカバーによって検出スイッチを覆い、そのスイッチカバーを固定手段によって遊技盤に固定しているので、検出スイッチはスイッチカバーによって確実に固定され、組立作業時における検出スイッチの差し込み不良および抜けを確実に防止することができる。
【００２９】
本願の請求項２に係る発明によれば、スイッチカバーに切欠き部を設け、この切欠き部からコネクタをスイッチカバーの外部に排出させているので、スイッチカバーを取り付けた状態でもコネクタの着脱を行なうことができる。また、コネクタ部が設けられている部分以外の検出スイッチ部分を、スイッチカバーによって確実に固定することができ、組立作業時における検出スイッチの差し込み不良および抜けを確実に防止することができる。
【００３０】
本願の請求項３に係る発明によれば、切欠き部からスイッチカバーの外部に排出されたコネクタ部分は、保護部材によって覆われているので、コネクタに対し外力が加わるのを防止し、コネクタの外れを防止することができる。
【００３１】
本願の請求項４に係る発明によれば、コネクタから延びた配線をフックに掛けることにより、配線に外力が加わった場合にもフックによってその外力が緩和されリード線の断線を大幅に抑止することができる。
【図面の簡単な説明】
【図１】本発明に係るパチンコ機のスイッチカバーの一形態を示す図である。
【図２】スイッチホルダに挿入された検出スイッチをスイッチカバーによって覆った状態を示す正面図である。
【図３】図２の側面図である。
【図４】図２の斜視図である。
【図５】従来の、入賞口を構成する検出スイッチおよびこの検出スイッチが挿入されるスイッチホルダを示す斜視図である
【図６】従来の、スイッチホルダに挿入された検出スイッチを示す正面図である。
【図７】従来の、検出スイッチの挿入不足状態を示す図である。
【図８】従来の、検出スイッチが爪から外れた状態を示す図である。
【図９】従来の、配線が引っ張られて断線した状態を示す図である。
【符号の説明】
１　　スイッチカバー
４　　切欠き部
５　　保護部材
６　　フック
７　　ネジ（固定手段）
８　　配線
３０　検出スイッチ
３１　遊技球通過孔
３４　コネクタ部
３５　取付穴
３６　スイッチホルダ
３８　遊技球入賞口
３９　遊技盤
【図１】
2004057712.tif 000003
【図２】
2004057712.tif 000004
【図３】
2004057712.tif 000005
【図４】
2004057712.tif 000006
【図５】
2004057712.tif 000007
【図６】
2004057712.tif 000008
【図７】
2004057712.tif 000009
【図８】
2004057712.tif 000010
【図９】
2004057712.tif 000011